(57)【要約】【課題】音響リークの発生をより確実に抑制することが可能なマイクロホンユニットを提供する。【解決手段】この差動マイクロホンユニット（マイクロホンユニット）１００は、カバー部２０の第１凹部２２（第２凹部２３）の内側面２２ｂ（内側面２３ｂ）と、ガスケット３０の第１凸部３１（第２凸部３２）の外側面３１ｃ（外側面３２ｃ）とが密着するとともに、カバー部２０の第１凹部２２（第２凹部２３）と、ガスケット３０の第１凸部３１（第２凸部３２）とが固定的に係合している。【選択図】図４
2011120021.tif 000002
【特許請求の範囲】
【請求項１】
音圧により振動する振動部が設けられた基板と、
前記振動部を覆うように前記基板上に配置されたカバー部と、
前記カバー部の表面上に配置された封止部材とを備え、
前記封止部材は、封止部材側音孔と、前記封止部材側音孔の周囲を囲うとともに前記封止部材の表面から前記カバー部側に突出する凸部とを含み、
前記カバー部は、前記封止部材の前記封止部材側音孔と連結するように形成されたカバー部側音孔と、前記封止部材の凸部に対応する位置に配置される凹部とを含み、
少なくとも前記カバー部の凹部の内側面と、前記封止部材の凸部の外側面とが密着するとともに、前記カバー部の凹部と、前記封止部材の凸部とが固定的に係合している、マイクロホンユニット。
【請求項２】
前記カバー部の凹部の内側面と前記封止部材の凸部の外側面とが密着しているとともに、前記カバー部の凹部の前記封止部材側の内底面と前記封止部材の凸部の表面とが密着した状態で、前記カバー部の凹部と前記封止部材の凸部とが固定的に係合している、請求項１に記載のマイクロホンユニット。
【請求項３】
前記封止部材の凸部が前記カバー部の凹部に圧入されることにより、少なくとも前記カバー部の凹部の内側面と前記封止部材の凸部の外側面とが密着するとともに、前記カバー部の凹部と前記封止部材の凸部とが固定的に係合している、請求項１または２に記載のマイクロホンユニット。
【請求項４】
前記封止部材の封止部材側音孔は、第１封止部材側音孔と、第２封止部材側音孔とを含み、
前記封止部材の凸部は、前記第１封止部材側音孔の周囲を囲うとともに、前記封止部材の表面から前記カバー部側に突出する第１凸部と、前記第２封止部材側音孔の周囲を囲うとともに、前記封止部材の表面から前記カバー部側に突出する第２凸部とを含み、
前記カバー部のカバー部側音孔は、前記第１封止部材側音孔と連結するように形成された第１カバー部側音孔と、前記第２封止部材側音孔と連結するように形成された第２カバー部側音孔とを含み、
前記カバー部の凹部は、前記封止部材の第１凸部に対応する位置に配置される第１凹部と、前記封止部材の第２凸部に対応する位置に配置される第２凹部とを含み、
前記第１封止部材側音孔および前記第１カバー部側音孔を介して前記振動部の一方側に音が到達するとともに、前記第２封止部材側音孔および前記第２カバー部側音孔を介して前記振動部の他方側に音が到達することにより、前記振動部の一方側に到達した音の音圧と、前記振動部の他方側に到達した音の音圧との差圧を検知するように構成されている、請求項１〜３のいずれか１項に記載のマイクロホンユニット。
【請求項５】
前記封止部材の前記凸部の突出高さは、前記カバー部の前記凹部の深さと略等しい、請求項１〜４のいずれか１項に記載のマイクロホンユニット。
【請求項６】
前記カバー部に形成された凹部の内側面または前記封止部材に形成された凸部の外側面のうちいずれか一方は、先細りするテーパ状に形成されている、請求項１〜５のいずれか１項に記載のマイクロホンユニット。
【請求項７】
前記封止部材は、弾性変形可能な材料からなり、
前記封止部材に形成された凸部の外側面は、先細りするテーパ形状に形成されており、
前記カバー部に形成された凹部の内表面は、略矩形形状に形成されており、
前記カバー部の凹部の開口端の幅は、前記封止部材の凸部の根元部の幅よりも小さい、請求項６に記載のマイクロホンユニット。
【請求項８】
前記カバー部に形成された凹部の内側面または前記封止部材に形成された凸部の外側面のうち少なくともいずれか一方は、凹凸形状に形成されている、請求項１〜７のいずれか１項に記載のマイクロホンユニット。
【請求項９】
前記封止部材は、弾性変形可能な材料からなるとともに、前記封止部材の凸部の外側面は、前記カバー部の凹部の内側面の形状に沿うように弾性変形された状態で前記カバー部の凹部の内側面と係合されている、請求項１〜８のいずれか１項に記載のマイクロホンユニット。
【請求項１０】
前記封止部材は、マイクロホンが収納される製品筐体の裏面側と、前記カバー部との間を封止するように配置されている、請求項１〜９のいずれか１項に記載のマイクロホンユニット。
【請求項１１】
前記カバー部と、前記封止部材との間に配置され、前記封止部材の凸部を逃がすための開口部を有する導電性のシールド部材をさらに備え、
前記封止部材の凸部の突出高さは、前記シールド部材の厚みよりも大きい、請求項１〜１０のいずれか１項に記載のマイクロホンユニット。
【請求項１２】
音圧により振動する振動部が設けられた基板と、前記振動部を覆うように前記基板上に配置されたカバー部と、前記カバー部の表面上に配置された封止部材とを備え、前記封止部材は封止部材側音孔と前記封止部材側音孔の周囲を囲うとともに前記封止部材の表面から前記カバー部側に突出する凸部とを含み、前記カバー部は前記封止部材の前記封止部材側音孔と連結するように形成されたカバー部側音孔と前記封止部材の凸部に対応する位置に配置される凹部とを含み、少なくとも前記カバー部の凹部の内側面と前記封止部材の凸部の外側面とが密着するとともに前記カバー部の凹部と前記封止部材の凸部とが固定的に係合しているマイクロホンユニットと、
前記マイクロホンユニットが収納される携帯機器筐体とを備え、
前記封止部材は、前記携帯機器筐体の裏面側と、前記カバー部との間を封止するように配置されている、携帯機器。
【発明の詳細な説明】
【技術分野】
【０００１】
この発明は、マイクロホンユニットおよび携帯機器に関し、特に、音孔を有する凸部を含む封止部材を備えるマイクロホンユニットおよび携帯機器に関する。
【背景技術】
【０００２】
従来、音孔を有する凸部を含む封止部材を備えるマイクロホンユニットおよび携帯機器が知られている（たとえば、特許文献１参照）。
【０００３】
上記特許文献１には、音声入力可能な音入口が形成され、凹形状の断面を有する蓋と、蓋の凹形状の部分を覆うように組みつけられるとともに音出口（音孔）が形成された凸状領域（凸部）を有するシート状のラベルと、凸状領域の音出口と密着する開口部が形成されたシーリング部材（封止部材）と、シーリング部材の開口部の音出口とは反対側に配置されたマイクロホンとを備えた無線電話機（携帯機器）が開示されている。なお、蓋の音入口からラベルの凸状領域の音出口までのラベルと蓋との間の空間は、音響ダクトとして機能する。また、ラベルが組みつけられた蓋は、シーリング部材に対して摺動可能（移動可能）に構成されており、ラベルが組みつけられた蓋をシーリング部材に対して摺動させて、ラベルの凸状領域の表面とシーリング部材の表面とが当接した際に、ラベルに形成された音出口とシーリング部材に形成された開口部とが連結した状態になるように構成されている。これにより、音入口から入った音声（音響）が、音響ダクト、ラベルの音出口およびシーリング部材の開口部を介して、本体部のマイクロホンに到達するように構成されている。
【先行技術文献】
【特許文献】
【０００４】
【特許文献１】特表２００１−５１５３１３号公報
【発明の概要】
【発明が解決しようとする課題】
【０００５】
しかしながら、上記特許文献１の無線電話機では、ラベルが組みつけられた蓋は、シーリング部材に対して摺動（移動）するように構成されているため、たとえば、ラベルが組みつけられた蓋が摺動方向と直交する方向（シーリング部材から離間する方向）に動いた場合に、ラベルの音出口とシーリング部材との間に隙間ができる場合があると考えられる。この場合、音入口から入った音声（音響）がラベルとシーリング部材との間から漏れてしまうため、音響リークが発生するという問題点がある。
【０００６】
この発明は、上記のような課題を解決するためになされたものであり、この発明の１つの目的は、音響リークの発生をより確実に抑制することが可能なマイクロホンユニットおよび携帯機器を提供することである。
【課題を解決するための手段および発明の効果】
【０００７】
この発明の第１の局面によるマイクロホンユニットは、音圧により振動する振動部が設けられた基板と、振動部を覆うように基板上に配置されたカバー部と、カバー部の表面上に配置された封止部材とを備え、封止部材は、封止部材側音孔と、封止部材側音孔の周囲を囲うとともに封止部材の表面からカバー部側に突出する凸部とを含み、カバー部は、封止部材の封止部材側音孔と連結するように形成されたカバー部側音孔と、封止部材の凸部に対応する位置に配置される凹部とを含み、少なくともカバー部の凹部の内側面と、封止部材の凸部の外側面とが密着するとともに、カバー部の凹部と、封止部材の凸部とが固定的に係合している。
【０００８】
この第１の局面によるマイクロホンユニットでは、上記のように、カバー部の凹部と、封止部材の凸部とを固定的に係合させることによって、カバー部と封止部材とが相対的に移動可能な場合と異なり、凸部と凹部との係合が外れにくいので、カバー部と封止部材との間からの音響リークが発生するのをより確実に抑制することができる。また、少なくともカバー部の凹部の内側面と、封止部材の凸部の外側面とを密着させることによって、たとえば、カバー部が封止部材に対して基板の表面と直交する方向にずれた場合でも、ずれの大きさが凸部の高さ（凹部の深さ）の範囲内では、凹部の内側面と凸部の外側面とを密着させた状態を維持することができるので、これによっても、カバー部と封止部材との間からの音響リークの発生をより確実に抑制することができる。
【０００９】
上記第１の局面によるマイクロホンユニットにおいて、好ましくは、カバー部の凹部の内側面と封止部材の凸部の外側面とが密着しているとともに、カバー部の凹部の封止部材側の内底面と封止部材の凸部の表面とが密着した状態で、カバー部の凹部と封止部材の凸部とが固定的に係合している。このように構成すれば、カバー部の凹部の内側面と封止部材の凸部の外側面との間、および、カバー部の凹部の封止部材側の内底面と封止部材の凸部の表面との間の両方を密着させるとともに、固定的に係合した状態に保つことができるので、音響リークの発生をさらに確実に抑制することができる。
【００１０】
上記第１の局面によるマイクロホンユニットにおいて、好ましくは、封止部材の凸部がカバー部の凹部に圧入されることにより、少なくともカバー部の凹部の内側面と封止部材の凸部の外側面とが密着するとともに、カバー部の凹部と封止部材の凸部とが固定的に係合している。このように構成すれば、封止部材の凸部とカバー部の凹部とが軽く接触している場合と異なり、封止部材の凸部とカバー部の凹部とを強固に固定させることができるので、凸部と凹部との間の密着性（気密性）をより向上させることができるとともに、凸部と凹部との係合が外れるのをより有効に防止することができる。
【００１１】
上記第１の局面によるマイクロホンユニットにおいて、好ましくは、封止部材の封止部材側音孔は、第１封止部材側音孔と、第２封止部材側音孔とを含み、封止部材の凸部は、第１封止部材側音孔の周囲を囲うとともに、封止部材の表面からカバー部側に突出する第１凸部と、第２封止部材側音孔の周囲を囲うとともに、封止部材の表面からカバー部側に突出する第２凸部とを含み、カバー部のカバー部側音孔は、第１封止部材側音孔と連結するように形成された第１カバー部側音孔と、第２封止部材側音孔と連結するように形成された第２カバー部側音孔とを含み、カバー部の凹部は、封止部材の第１凸部に対応する位置に配置される第１凹部と、封止部材の第２凸部に対応する位置に配置される第２凹部とを含み、第１封止部材側音孔および第１カバー部側音孔を介して振動部の一方側に音が到達するとともに、第２封止部材側音孔および第２カバー部側音孔を介して振動部の他方側に音が到達することにより、振動部の一方側に到達した音の音圧と、振動部の他方側に到達した音の音圧との差圧を検知するように構成されている。このように構成すれば、カバー部の第１凹部と封止部材の第１凸部との間、および、カバー部の第２凹部と封止部材の第２凸部との間の両方において音響リークが発生するのをより確実に抑制することができる。これにより、第１カバー部側音孔から入力される音圧と、第２カバー部側音孔から入力される音圧とをそれぞれ振動部の裏面（一方側）と表面（他方側）とに伝達して、差圧を正確に検出することができる。その結果として、遠方雑音を抑圧する性能を最大限に発揮することができる。
【００１２】
上記第１の局面によるマイクロホンユニットにおいて、好ましくは、封止部材の凸部の突出高さは、カバー部の凹部の深さと略等しい。このように構成すれば、カバー部の凹部の内側面と封止部材の凸部の外側面とを凸部の突出方向の全域にわたって接触させることができるとともに、カバー部の凹部の封止部材側の内底面と封止部材の凸部の表面とを接触（密着）させることができるので、カバー部の凹部と封止部材の凸部との密着性をより向上させることができる。
【００１３】
上記第１の局面によるマイクロホンユニットにおいて、好ましくは、カバー部に形成された凹部の内側面または封止部材に形成された凸部の外側面のうちいずれか一方は、先細りするテーパ状に形成されている。このように構成すれば、カバー部の凹部と封止部材の凸部とを嵌め合わせる（係合させる）際に、カバー部の凹部または封止部材の凸部のうちいずれか一方のテーパ部分に沿って、カバー部の凹部と封止部材の凸部とが嵌め合わされるので、カバー部の凹部と封止部材の凸部とを嵌め合わせやすく（係合させやすく）することができる。
【００１４】
この場合、好ましくは、封止部材は、弾性変形可能な材料からなり、封止部材に形成された凸部の外側面は、先細りするテーパ形状に形成されており、カバー部に形成された凹部の内表面は、略矩形形状に形成されており、カバー部の凹部の開口端の幅は、封止部材の凸部の根元部の幅よりも小さい。このように構成すれば、封止部材のテーパ形状の凸部と、カバー部の略矩形形状の凹部とを嵌め合わせた際に、封止部材の凸部の外側面が内側に弾性変形して押し込まれた状態になる。これにより、カバー部の凹部には、凹部の外側に向かって付勢力が働くので、カバー部の凹部の内側面と、封止部材の凸部の外側面との間の密着性（気密性）をより向上させることができる。
【００１５】
上記第１の局面によるマイクロホンユニットにおいて、好ましくは、カバー部に形成された凹部の内側面または封止部材に形成された凸部の外側面のうち少なくともいずれか一方は、凹凸形状に形成されている。このように構成すれば、カバー部の凹部の内側面または封止部材の凸部の外側面のうち少なくともいずれか一方に形成された凹凸形状により、カバー部の凹部と封止部材の凸部との係合状態をより外れにくくすることができる。
【００１６】
上記第１の局面によるマイクロホンユニットにおいて、好ましくは、封止部材は、弾性変形可能な材料からなるとともに、封止部材の凸部の外側面は、カバー部の凹部の内側面の形状に沿うように弾性変形された状態でカバー部の凹部の内側面と係合されている。このように構成すれば、カバー部の凹部には、凹部の外側に向かって付勢力が働くので、封止部材の凸部の外側面と、カバー部の凹部の内側面との間の密着性（気密性）をより有効に向上させることができる。
【００１７】
上記第１の局面によるマイクロホンユニットにおいて、好ましくは、封止部材は、マイクロホンが収納される製品筐体の裏面側と、カバー部との間を封止するように配置されている。このように構成すれば、封止部材により、マイクロホンが収納される製品筐体の裏面側とカバー部との間からの音響リークの発生を抑制することができる。
【００１８】
上記第１の局面によるマイクロホンユニットにおいて、好ましくは、カバー部と、封止部材との間に配置され、封止部材の凸部を逃がすための開口部を有する導電性のシールド部材をさらに備え、封止部材の凸部の突出高さは、シールド部材の厚みよりも大きい。このように構成すれば、シールド部材により、電磁波などのノイズを除去しながら、封止部材の凸部のうちのシールド部材から突出した部分の外側面と、カバー部の凹部の内側面との係合（密着）により、容易に、音響リークの発生を抑制することができる。
【００１９】
この発明の第２の局面による携帯機器は、音圧により振動する振動部が設けられた基板と、振動部を覆うように基板上に配置されたカバー部と、カバー部の表面上に配置された封止部材とを備え、封止部材は封止部材側音孔と封止部材側音孔の周囲を囲うとともに封止部材の表面からカバー部側に突出する凸部とを含み、カバー部は封止部材の封止部材側音孔と連結するように形成されたカバー部側音孔と封止部材の凸部に対応する位置に配置される凹部とを含み、少なくともカバー部の凹部の内側面と封止部材の凸部の外側面とが密着するとともにカバー部の凹部と封止部材の凸部とが固定的に係合しているマイクロホンユニットと、マイクロホンユニットが収納される携帯機器筐体とを備え、封止部材は、携帯機器筐体の裏面側と、カバー部との間を封止するように配置されている。
【００２０】
この第２の局面による携帯機器では、上記のように、カバー部の凹部と、封止部材の凸部とを固定的に係合させることによって、カバー部と封止部材とが相対的に移動可能な場合と異なり、凸部と凹部との係合が外れにくいので、カバー部と封止部材との間からの音響リークが発生するのをより確実に抑制することができる。また、少なくともカバー部の凹部の内側面と、封止部材の凸部の外側面とを密着させることによって、たとえば、カバー部が封止部材に対して基板の表面と直交する方向にずれた場合でも、ずれの大きさが凸部の高さ（凹部の深さ）の範囲内では、凹部の内側面と凸部の外側面とを密着させた状態を維持することができるので、これによっても、カバー部と封止部材との間からの音響リークの発生をより確実に抑制することができる。また、封止部材を、携帯機器筐体の裏面側と、カバー部との間を封止するように配置することによって、封止部材により、マイクロホンユニットが収納される携帯機器筐体の裏面側と、カバー部との間からの音響リークの発生を抑制することができる。
【図面の簡単な説明】
【００２１】
【図１】本発明の第１実施形態による差動マイクロホンユニットを備える携帯電話機の平面図である。
【図２】本発明の第１実施形態による差動マイクロホンユニットを備える携帯電話機の拡大図である。
【図３】図２の３００−３００線に沿った断面図である。
【図４】本発明の第１実施形態による差動マイクロホンユニットを備える携帯電話機の携帯電話筐体部とカバー部の凹部とガスケットの凸部との組み立て後の状態を示した断面図である。
【図５】本発明の第１実施形態による差動マイクロホンユニットを備える携帯電話機の分解斜視図である。
【図６】本発明の第１実施形態による差動マイクロホンユニットの上面側から見た平面図である。
【図７】本発明の第１実施形態による差動マイクロホンユニットの下面側から見た平面図である。
【図８】本発明の第１実施形態による差動マイクロホンユニットを備える携帯電話機に入った音の経路を示した断面図である。
【図９】本発明の第１実施形態の第１変形例による差動マイクロホンユニットを備える携帯電話機の携帯電話筐体部とカバー部の凹部とガスケットの凸部との組み立て後の状態を示した断面図である。
【図１０】本発明の第１実施形態の第１変形例による差動マイクロホンユニットを備える携帯電話機の携帯電話筐体部とカバー部の凹部とガスケットの凸部との組み立て前の状態を示した断面図である。
【図１１】本発明の第１実施形態の第２変形例による差動マイクロホンユニットを備える携帯電話機の携帯電話筐体部とカバー部の凹部とガスケットの凸部との組み立て後の状態を示した断面図である。
【図１２】本発明の第１実施形態の第２変形例による差動マイクロホンユニットを備える携帯電話機の携帯電話筐体部とカバー部の凹部とガスケットの凸部との組み立て前の状態を示した断面図である。
【図１３】本発明の第１実施形態の第３変形例による差動マイクロホンユニットを備える携帯電話機の携帯電話筐体部とカバー部の凹部とガスケットの凸部との組み立て後の状態を示した断面図である。
【図１４】本発明の第１実施形態の第３変形例による差動マイクロホンユニットを備える携帯電話機の携帯電話筐体部とカバー部の凹部とガスケットの凸部との組み立て前の状態を示した断面図である。
【図１５】本発明の第１実施形態の第４変形例による差動マイクロホンユニットを備える携帯電話機の携帯電話筐体部とカバー部の凹部とガスケットの凸部との組み立て後の状態を示した断面図である。
【図１６】本発明の第１実施形態の第４変形例による差動マイクロホンユニットを備える携帯電話機の携帯電話筐体部とカバー部の凹部とガスケットの凸部との組み立て前の状態を示した断面図である。
【図１７】本発明の第１実施形態の第５変形例による差動マイクロホンユニットを備える携帯電話機の携帯電話筐体部とカバー部の凹部とガスケットの凸部との組み立て後の状態を示した断面図である。
【図１８】本発明の第１実施形態の第５変形例による差動マイクロホンユニットを備える携帯電話機の携帯電話筐体部とカバー部の凹部とガスケットの凸部との組み立て前の状態を示した断面図である。
【図１９】本発明の第２実施形態によるガスケットとカバー部との間にシールド部材が配置された差動マイクロホンユニットを備える携帯電話機の断面図である。
【図２０】本発明の第１および第２実施形態の第１変形例による差動マイクロホンユニットの上面側から見た平面図である。
【図２１】本発明の第１および第２実施形態の第２変形例による差動マイクロホンユニットの上面側から見た平面図である。
【図２２】本発明の第１および第２実施形態の第３変形例による差動マイクロホンユニットの上面側から見た平面図である。
【図２３】本発明の第１および第２実施形態の第４変形例による差動マイクロホンユニットの上面側から見た平面図である。
【図２４】本発明の第１および第２実施形態の第４変形例による差動マイクロホンユニットの断面図である。
【図２５】本発明の第１および第２実施形態の第５変形例による差動マイクロホンユニットの断面図である。
【発明を実施するための形態】
【００２２】
以下、本発明を具体化した実施形態を図面に基づいて説明する。
【００２３】
（第１実施形態）
図１〜図８を参照して、本発明の第１実施形態による差動マイクロホンユニット１００を備える携帯電話機２００の構成について説明する。なお、差動マイクロホンユニット１００は、本発明の「マイクロホンユニット」の一例であり、携帯電話機２００は、本発明の「携帯機器」の一例である。ここで、本発明の差動マイクロホンユニット１００は、２つの音孔を有しており、２つ音孔に入力される音圧のそれぞれを後述する振動部（振動板）の表面および裏面へと伝達する。振動板は表と裏との音圧の差圧にしたがって振動し、この振動変化を電気信号として出力するものである。２つの音孔から振動板までの距離は略等しく構成されており、２つの音孔から振動板までの音の伝播時間を等しくすることで、遅延差がゼロになるように設計されている。このように設計された差動マイクロホンユニット１００は、距離にともなう感度減衰特性が大きいのが特徴である。通常の無指向性マイクロホンが−２０ｄＢ／ｄｅｃの減衰率であるのに対して、差動マイクロホンユニット１００は、−４０ｄＢ／ｄｅｃであり、減衰率が大きい。すなわち、遠方雑音を抑圧して、近接音のみを捕らえる接話マイクロホンとして機能する。この性能を最大限に発揮するためには、２つの音孔から振動板までの音響的な伝達特性を極力等しくなるようにするとともに、２つの音孔のそれぞれから振動板までバランス良く、かつ、効率良く音を伝播する必要がある。この伝播経路のいずれかで音響リークが発生したり、一方の伝播経路間から他方の伝播経路へとリークが発生したりすると、バランスずれあるいは伝達ロスが発生し、上記の優れた性能が発揮できなくなる。
【００２４】
本発明の第１実施形態による携帯電話機２００には、図１に示すように、携帯電話筐体部１と、「０〜９」、「＊」および「＃」などの入力キー部２と、メニューボタンやメールボタンなどの操作キー部３と、液晶ディスプレイからなる表示画面部４と、スピーカ５と、アンテナ６と、差動マイクロホンユニット１００とが設けられている。なお、携帯電話筐体部１は、本発明の「製品筐体」および「携帯機器筐体」の一例である。また、図２に示すように、差動マイクロホンユニット１００は、差動マイクロホンユニット１００の長手方向がＸ方向に沿うように、携帯電話筐体部１の裏面側に設けられている。
【００２５】
差動マイクロホンユニット１００は、図３に示すように、基板１０と、カバー部２０と、ガスケット３０とから構成されている。なお、ガスケット３０は、本発明の「封止部材」の一例である。
【００２６】
基板１０は、図３に示すように、約０．２ｍｍ以上約０．８ｍｍ以下の厚みｔ１を有するガラスエポキシなどの絶縁性の材料からなる。また、基板１０には、外部から入力された音声の音圧により振動する振動部１１を有するＭＥＭＳ（Ｍｉｃｒｏ  Ｅｌｅｃｔｒｏ  Ｍｅｃｈａｎｉｃａｌ  Ｓｙｓｔｅｍ）チップ１２が設けられている。また、基板１０には、外部から入力された音声を振動部１１のＺ１方向側の表面に導くための音道１３が形成されている。また、ＭＥＭＳチップ１２の近傍には、ＭＥＭＳチップ１２の振動部１１の振動に基づいて電気信号を出力するための集積回路である電気信号出力ＩＣ１４が配置されている。また、ＭＥＭＳチップ１２と、電気信号出力ＩＣ１４とは、配線１５ａおよび配線１５ｂにより電気的に接続されている。
【００２７】
また、図５に示すように、基板１０には、３つの貫通孔１７ａ、貫通孔１７ｂおよび貫通孔１７ｃが形成されている。また、貫通孔１７ａ、貫通孔１７ｂおよび貫通孔１７ｃには、それぞれ、配線１８ａ、配線１８ｂおよび配線１８ｃが埋め込まれている。また、基板１０のＺ１方向側の表面（裏面）上には、図７に示すように、配線１８ａ、配線１８ｂおよび配線１８ｃにそれぞれ接続するように、３つの電極部１６ａ、電極部１６ｂおよび電極部１６ｃが形成されている。この３つの電極部１６ａ、電極部１６ｂおよび電極部１６ｃは、それぞれ、電気信号出力ＩＣ１４への電力の供給、電気信号出力ＩＣ１４からの電気信号の出力およびＧＮＤ接続を行うために形成されている。
【００２８】
また、図３に示すように、カバー部２０は、ＭＥＭＳチップ１２および電気信号出力ＩＣ１４を覆うように、図示しない約５０μｍ（約０．０５ｍｍ）の厚みを有する接着剤層を用いて、基板１０のＺ２方向側の表面に接着されている。また、カバー部２０は、約０．６ｍｍ以上約１．０ｍｍ以下の厚みｔ２を有する耐熱性樹脂からなる。また、ＭＥＭＳチップ１２および電気信号出力ＩＣ１４が収納されるカバー部２０と基板１０とで囲まれた空間は、外部からの音声を振動部１１のＺ２方向側の表面に導くための音道２１として機能する。
【００２９】
ここで、第１実施形態では、図４および図５に示すように、カバー部２０のＺ２方向側の表面には、断面が矩形形状の第１凹部２２（第２凹部２３）が形成されている。また、カバー部２０の第１凹部２２（第２凹部２３）の内底面２２ｃ（内底面２３ｃ）の深さＤ１は、約０．２ｍｍ以上約２．８ｍｍ以下である。なお、カバー部２０の第１凹部２２（第２凹部２３）は、平面的に見て矩形形状（図５参照）の外形を有するように形成されている。また、第１凹部２２（第２凹部２３）のＸ方向の幅Ｗ１（図４参照）は、約１．１ｍｍである。
【００３０】
また、第１凹部２２（第２凹部２３）には、Ｚ方向に沿って延びるように第１カバー部側音孔２２ａ（第２カバー部側音孔２３ａ）が形成されている。なお、第１カバー部側音孔２２ａ（第２カバー部側音孔２３ａ）は、平面的に見て、長孔形状（長丸形状）（図５および図６参照）に形成されている。また、第１カバー部側音孔２２ａ（第２カバー部側音孔２３ａ）のＸ方向の孔幅Ｗ２（図４参照）は、約０．２ｍｍ以上約０．５ｍｍ以下である。また、第１凹部２２の内側面２２ｂと、第１カバー部側音孔２２ａとの間の第１凹部２２のＸ方向の幅（厚み）Ｗ３は、約０．３ｍｍ以上約０．４５ｍｍ以下である。また、第２凹部２３の内側面２３ｂと、第２カバー部側音孔２３ａとの間の第２凹部２３のＸ方向の幅（厚み）Ｗ３も、約０．３ｍｍ以上約０．４５ｍｍ以下である。
【００３１】
また、図６に示すように、第１カバー部側音孔２２ａ（第２カバー部側音孔２３ａ）のＹ方向の孔幅Ｗ４は、約１．５ｍｍ以上約２．０ｍｍ以下である。また、第１凹部２２の内側面２２ｂと、第１カバー部側音孔２２ａとの間の第１凹部２２のＹ方向の幅（厚み）Ｗ５は、約０．３ｍｍ以上約０．４５ｍｍ以下である。また、第２凹部２３の内側面２３ｂと、第２カバー部側音孔２３ａとの間の第２凹部２３のＹ方向の幅（厚み）Ｗ５も、約０．３ｍｍ以上約０．４５ｍｍ以下である。
【００３２】
また、図３に示すように、ガスケット３０は、弾性変形可能な材料（ゴム部材など）からなり、カバー部２０の表面上に配置されている。また、第１実施形態では、図４に示すように、ガスケット３０のＺ１方向側の表面には、Ｚ１方向に突出するとともに、断面が矩形形状の第１凸部３１（第２凸部３２）が形成されている。また、第１凸部３１（第２凸部３２）の表面３１ｂ（表面３２ｂ）の突出高さｈ１は、約０．２ｍｍ以上約２．８ｍｍ以下であり、カバー部２０の第１凹部２２（第２凹部２３）の深さＤ１（約０．２ｍｍ以上約２．８ｍｍ以下）と略等しい。また、ガスケット３０の第１凸部３１（第２凸部３２）が形成されていない部分のガスケット３０の厚みｔ３（図３参照）は、約０．２ｍｍ以上約３．０ｍｍ以下である。また、第１凸部３１の表面３１ｂは、第１凹部２２の内底面２２ｃと接触しているとともに、第２凸部３２の表面３２ｂは、第２凹部２３のＺ２方向側の内底面２３ｃと接触している。また、第１凸部３１（第２凸部３２）のＸ方向の幅Ｗ６は、約１．１ｍｍであり、第１凹部２２（第２凹部２３）のＸ方向の幅Ｗ１（約１．１ｍｍ）と略等しい。
【００３３】
この第１凸部３１（第２凸部３２）の表面３１ｂ（表面３２ｂ）には、カバー部２０の第１カバー部側音孔２２ａ（第２カバー部側音孔２３ａ）と連結するとともに、Ｚ方向に沿って延びるように、第１ガスケット側音孔３１ａ（第２ガスケット側音孔３２ａ）が形成されている。なお、第１ガスケット側音孔３１ａは、本発明の「第１封止部材側音孔」の一例であり、第２ガスケット側音孔３２ａは、本発明の「第２封止部材側音孔」の一例である。また、第１凸部３１（第２凸部３２）は、第１ガスケット側音孔３１ａ（第２ガスケット側音孔３２ａ）の周囲を囲むように形成されている。
【００３４】
また、第１ガスケット側音孔３１ａ（第２ガスケット側音孔３２ａ）のＸ方向の幅Ｗ７は、約０．２ｍｍ以上約０．５ｍｍ以下であり、第１カバー部側音孔２２ａ（第２カバー部側音孔２３ａ）のＸ方向の孔幅Ｗ２（約０．２ｍｍ以上約０．５ｍｍ以下）と略等しい。また、第１凸部３１（第２凸部３２）の外側面３１ｃ（外側面３２ｃ）と第１ガスケット側音孔３１ａ（第２ガスケット側音孔３２ａ）との間の第１凸部３１のＸ方向の幅Ｗ８は、約０．３ｍｍ以上約０．４５ｍｍ以下であり、第１凹部２２（第２凹部２３）の内側面２２ｂ（内側面２３ｂ）と第１カバー部側音孔２２ａ（第２カバー部側音孔２３ａ）との間のＸ方向の幅（厚み）Ｗ３と略等しい。
【００３５】
また、図６に示すように、第１ガスケット側音孔３１ａ（第２ガスケット側音孔３２ａ）のＹ方向の孔幅Ｗ９は、約１．５ｍｍ以上約２．０ｍｍ以下であり、第１カバー部側音孔２２ａ（第２カバー部側音孔２３ａ）のＹ方向の孔幅Ｗ４と略等しい。
【００３６】
また、第１凸部３１（第２凸部３２）の外側面３１ｃ（外側面３２ｃ）と、第１ガスケット側音孔３１ａ（第２ガスケット側音孔３２ａ）との間のＹ方向の第１凸部３１（第２凸部３２）の幅Ｗ１０は、約０．３ｍｍ以上約０．４５ｍｍ以下である。すなわち、第１凸部３１（第２凸部３２）の外側面３１ｃ（外側面３２ｃ）と、第１ガスケット側音孔３１ａ（第２ガスケット側音孔３２ａ）との間の第１凸部３１（第２凸部３２）のＹ方向の幅Ｗ１０は、第１凹部２２（第２凹部２３）の内側面２２ｂ（内側面２３ｂ）と、第１カバー部側音孔２２ａ（第２カバー部側音孔２３ａ）との間の第１凹部２２（第２凹部２３）のＹ方向の幅（厚み）Ｗ５と略等しい。
【００３７】
また、第１実施形態では、図４に示すように、ガスケット３０の第１凸部３１（第２凸部３２）が、カバー部２０の第１凹部２２（第２凹部２３）に圧入されている。これにより、カバー部２０の第１凹部２２（第２凹部２３）の内側面２２ｂ（内側面２３ｂ）と、ガスケット３０の第１凸部３１（第２凸部３２）の外側面３１ｃ（外側面３２ｃ）とが密着されている。また、カバー部２０の第１凹部２２（第２凹部２３）の内底面２２ｃ（内底面２３ｃ）と、ガスケット３０の第１凸部３１（第２凸部３２）の表面３１ｂ（表面３２ｂ）とが密着するように構成されている。その結果、カバー部２０の第１凹部２２（第２凹部２３）と、ガスケット３０の第１凸部３１（第２凸部３２）とが固定的に係合するように構成されている。これにより、第１カバー部側音孔２２ａ（第２カバー部側音孔２３ａ）の内面と、第１ガスケット側音孔３１ａ（第２ガスケット側音孔３２ａ）の内面とが段差なく面一に位置合わせされるように構成されている。
【００３８】
また、図８に示すように、外部からの音声（音響）は、第１ガスケット側音孔３１ａ、第１カバー部側音孔２２ａ、および、音道１３を介して、振動部１１のＺ１方向側の表面に到達するように構成されている。また、第２ガスケット側音孔３２ａ、第２カバー部側音孔２３ａ、および、カバー部２０のＭＥＭＳチップ１２、電気信号出力ＩＣ１４が収納される空間（音道２１）を介して、振動部１１のＺ２方向側の表面に音が到達するように構成されている。これにより、振動部１１のＺ１方向側の表面に到達した音の音圧と、振動部１１のＺ２方向側の表面に到達した音の音圧との差圧を検知する差動マイクロホンユニット１００が構成される。
【００３９】
また、図３に示すように、差動マイクロホンユニット１００は、携帯電話筐体部１のＺ１方向側の表面上に配置されており、ガスケット３０は、カバー部２０と、携帯電話筐体部１との間を封止するように配置されている。この携帯電話筐体部１には、平面的に見て、ガスケット３０の第１ガスケット側音孔３１ａおよび第２ガスケット側音孔３２ａと重なる位置に、それぞれ、第１筐体部音孔１ａおよび第２筐体部音孔１ｂが形成されている。また、第１筐体部音孔１ａおよび第２筐体部音孔１ｂのＸ方向の幅Ｗ１１は約０．７ｍｍである。
【００４０】
第１実施形態では、上記のように、カバー部２０の第１凹部２２（第２凹部２３）と、ガスケット３０の第１凸部３１（第２凸部３２）とを固定的に係合させることによって、カバー部２０とガスケット３０とが相対的に移動可能な場合と異なり、第１凹部２２（第２凹部２３）と第１凸部３１（第２凸部３２）との係合が外れにくいので、カバー部２０とガスケット３０との間からの音響リークが発生するのをより確実に抑制することができる。また、カバー部２０の第１凹部２２（第２凹部２３）の内側面２２ｂ（内側面２３ｂ）と、ガスケット３０の第１凸部３１（第２凸部３２）の外側面３１ｃ（外側面３２ｃ）とを密着させることによって、たとえば、カバー部２０がガスケット３０に対してＺ方向にずれた場合でも、ずれの大きさが第１凹部２２（第２凹部２３）の深さＤ１（第１凸部３１（第２凸部３２）の高さｈ１）の範囲内では、第１凹部２２（第２凹部２３）の内側面２２ｂ（内側面２３ｂ）と、第１凸部３１（第２凸部３２）の外側面３１ｃ（外側面３２ｃ）とを密着させた状態を維持することができるので、これによっても、カバー部２０とガスケット３０との間からの音響リークの発生をより確実に抑制することができる。また、たとえば、カバー部に凸部を形成するとともにガスケットに凹部を形成する場合と異なり、ガスケットの厚みを小さくすることができるので、差動マイクロホンユニット１００の厚みを小さく（薄型化）することができる。
【００４１】
また、第１実施形態では、上記のように、カバー部２０の第１凹部２２（第２凹部２３）の内側面２２ｂ（内側面２３ｂ）とガスケット３０の第１凸部３１（第２凸部３２）の外側面３１ｃ（外側面３２ｃ）とを密着させるとともに、カバー部２０の第１凹部２２（第２凹部２３）の内底面２２ｃ（内底面２３ｃ）とガスケット３０の第１凸部３１（第２凸部３２）の表面３１ｂ（表面３２ｂ）とを密着させた状態で、カバー部２０の第１凹部２２（第２凹部２３）とガスケット３０の第１凸部３１（第２凸部３２）とを固定的に係合させる。これにより、カバー部２０の第１凹部２２（第２凹部２３）の内側面２２ｂ（内側面２３ｂ）とガスケット３０の第１凸部３１（第２凸部３２）の外側面３１ｃ（外側面３２ｃ）との間、および、カバー部２０の第１凹部２２（第２凹部２３）の内底面２２ｃ（内底面２３ｃ）とガスケット３０の第１凸部３１（第２凸部３２）の表面３１ｂ（表面３２ｂ）との間の両方を密着させるとともに、固定的に係合した状態に保つことができるので、音響リークの発生をさらに確実に抑制することができる。
【００４２】
また、第１実施形態では、上記のように、ガスケット３０の第１凸部３１（第２凸部３２）をカバー部２０の第１凹部２２（第２凹部２３）に圧入することにより、カバー部２０の第１凹部２２（第２凹部２３）の内側面２２ｂ（内側面２３ｂ）とガスケット３０の第１凸部３１（第２凸部３２）の外側面３１ｃ（外側面３２ｃ）とを密着させるとともに、カバー部２０の第１凹部２２（第２凹部２３）とガスケット３０の第１凸部３１（第２凸部３２）とを固定的に係合させる。これにより、ガスケット３０の第１凸部３１（第２凸部３２）と、カバー部２０の第１凹部２２（第２凹部２３）とが軽く接触している場合と異なり、ガスケット３０の第１凸部３１（第２凸部３２）と、カバー部２０の第１凹部２２（第２凹部２３）とを強固に固定させることができるので、第１凸部３１（第２凸部３２）と第１凹部２２（第２凹部２３）との間の密着性（気密性）をより向上させることができるとともに、第１凸部３１（第２凸部３２）と第１凹部２２（第２凹部２３）との係合が外れるのをより有効に防止することができる。
【００４３】
また、第１実施形態では、上記のように、第１ガスケット側音孔３１ａおよび第１カバー部側音孔２２ａを介して振動部１１のＺ１方向側に音が到達するとともに、第２ガスケット側音孔３２ａおよび第２カバー部側音孔２３ａを介して振動部１１のＺ２方向側に音が到達することにより、振動部１１のＺ１方向側に到達した音の音圧と、振動部１１のＺ２方向側に到達した音の音圧との差圧を検知するように構成する。これにより、カバー部２０の第１凹部２２とガスケット３０の第１凸部３１との間、および、カバー部２０の第２凹部２３とガスケット３０の第２凸部３２との間の両方において音響リークが発生するのをより確実に抑制することができる。これにより、第１カバー部側音孔２２ａから入力される音圧と、第２カバー部側音孔２３ａから入力される音圧とをそれぞれ振動部１１の表面と裏面とに伝達して、差圧を正確に検出することができる。その結果として、遠方雑音を抑圧する性能を最大限に発揮することができる。
【００４４】
また、第１実施形態では、上記のように、カバー部２０の第１凹部２２（第２凹部２３）の深さＤ１を、ガスケット３０の第１凸部３１（第２凸部３２）の高さｈ１と略等しくする。これにより、カバー部２０の第１凹部２２（第２凹部２３）の内側面２２ｂ（内側面２３ｂ）と、ガスケット３０の第１凸部３１（第２凸部３２）の外側面３１ｃ（外側面３２ｃ）とを第１凸部３１（第２凸部３２）の突出方向（Ｚ１方向）の全域にわたって接触させることができるとともに、カバー部２０の第１凹部２２（第２凹部２３）の内底面２２ｃ（内底面２３ｃ）とガスケット３０の第１凸部３１（第２凸部３２）の表面３１ｂ（表面３２ｂ）とを接触（密着）させることができる。その結果、カバー部２０の第１凹部２２（第２凹部２３）の内側面２２ｂ（内側面２３ｂ）と、ガスケット３０の第１凸部３１（第２凸部３２）の外側面３１ｃ（外側面３２ｃ）との密着性をより向上させることができる。
【００４５】
また、第１実施形態では、上記のように、ガスケット３０を、差動マイクロホンユニット１００が収納される携帯電話筐体部１の裏面側と、カバー部２０との間を封止するように配置することによって、ガスケット３０により、差動マイクロホンユニット１００が収納される携帯電話筐体部１の裏面側と、カバー部２０との間からの音響リークの発生を抑制することができる。
【００４６】
（第１実施形態の第１変形例）
次に、図９および図１０を参照して、本発明の第１実施形態の第１変形例について説明する。この第１実施形態の第１変形例による差動マイクロホンユニット１０１では、断面が矩形形状の凸部が形成されたガスケットを備える上記第１実施形態とは異なり、断面が先細りするテーパ状の凸部が形成されたガスケットを備える。なお、差動マイクロホンユニット１０１は、本発明の「マイクロホンユニット」の一例である。
【００４７】
この第１実施形態の第１変形例による差動マイクロホンユニット１０１は、図１０に示すように、カバー部２０のＺ２方向側の表面には、断面が矩形形状の第１凹部２２（第２凹部２３）が形成されている。また、ガスケット３０１のＺ１方向側の表面には、Ｚ１方向に突出するとともに、断面が先細りするテーパ状の第１凸部３０２（第２凸部３０３）が形成されている。また、カバー部２０の第１凹部２２（第２凹部２３）に、ガスケット３０１の第１凸部３０２（第２凸部３０３）が圧入される前の状態では、カバー部２０の第１凹部２２（第２凹部２３）の開口端の幅Ｗ１２は、ガスケット３０１の第１凸部３０２（第２凸部３０３）の根元部の幅Ｗ１３よりも小さい。
【００４８】
そして、カバー部２０の第１凹部２２（第２凹部２３）にガスケット３０１の第１凸部３０２（第２凸部３０３）が圧入される際に、ガスケット３０１の第１凸部３０２（第２凸部３０３）のテーパ部３０２ａ（テーパ部３０３ａ）が、カバー部２０の第１凹部２２（第２凹部２３）の開口端に接触することにより、押し込まれる方向に弾性変形するように構成されている。
【００４９】
そして、図９に示すように、カバー部２０の第１凹部２２（第２凹部２３）が圧入されることにより、カバー部２０の第１凹部２２（第２凹部２３）の内側面２２ｂ（内側面２３ｂ）と、ガスケット３０１の第１凸部３０２（第２凸部３０３）のテーパ部３０２ａ（テーパ部３０３ａ）とが密着する。また、カバー部２０の第１凹部２２（第２凹部２３）の内底面２２ｃ（内底面２３ｃ）と、ガスケット３０１の第１凸部３０２（第２凸部３０３）の表面３０２ｂ（表面３０３ｂ）とが密着する。これにより、カバー部２０の第１凹部２２（第２凹部２３）と、ガスケット３０１の第１凸部３０２（第２凸部３０３）とが固定的に係合するように構成されている。
【００５０】
なお、第１実施形態の第１変形例のその他の構成は、上記した第１実施形態と同様である。
【００５１】
第１実施形態の第１変形例では、上記のように、カバー部２０の第１凹部２２（第２凹部２３）の開口端の幅Ｗ１２を、ガスケット３０１の第１凸部３０２（第２凸部３０３）の根元部の幅Ｗ１３よりも小さくすることによって、カバー部２０の略矩形形状の第１凹部２２（第２凹部２３）と、ガスケット３０１のテーパ形状の第１凸部３０２（第２凸部３０３）とを嵌め合わせた際に、ガスケット３０１の第１凸部３０２（第２凸部３０３）のテーパ部３０２ａ（テーパ部３０３ａ）が内側に弾性変形して押し込まれた状態になる。これにより、カバー部２０の第１凹部２２（第２凹部２３）には、第１凹部２２（第２凹部２３）の内側面２２ｂ（内側面２３ｂ）に付勢力が働くので、ガスケット３０１の第１凸部３０２（第２凸部３０３）のテーパ部３０２ａ（テーパ部３０３ａ）と、カバー部２０の第１凹部２２（第２凹部２３）の内側面２２ｂ（内側面２３ｂ）との間の密着性（気密性）をより向上させることができる。
【００５２】
なお、第１実施形態の第１変形例のその他の効果は、上記した第１実施形態と同様である。
【００５３】
（第１実施形態の第２変形例）
次に、図１１および図１２を参照して、本発明の第１実施形態の第２変形例について説明する。この第１実施形態の第２変形例による差動マイクロホンユニット１０２では、断面が矩形形状の凸部が形成されたガスケットを備える上記第１実施形態とは異なり、凸部の外側面に凹凸形状の段差部が形成されたガスケットを備える。なお、差動マイクロホンユニット１０２は、本発明の「マイクロホンユニット」の一例である。
【００５４】
この第１実施形態の第２変形例による差動マイクロホンユニット１０２は、図１２に示すように、カバー部２０のＺ２方向側の表面には、Ｗ１４の幅（開口端）を有する第１凹部２２（第２凹部２３）が形成されている。また、ガスケット１３０には、Ｚ１方向に突出するとともに、Ｗ１５の幅を有する第１凸部１３１（第２凸部１３２）が形成されている。また、第１凸部１３１（第２凸部１３２）の外側面１３１ａ（外側面１３２ａ）のＺ２方向側の端部には、凹凸形状の段差部１３１ｂ（段差部１３２ｂ）が形成されている。この段差部１３１ｂ（段差部１３２ｂ）は、Ｘ方向にくぼむように切り込み状に形成されている。なお、第１凹部２２（第２凹部２３）の幅Ｗ１４は、第１凸部１３１（第２凸部１３２）の幅Ｗ１５よりも小さい。
【００５５】
そして、図１１に示すように、ガスケット１３０の第１凸部１３１（第２凸部１３２）は、カバー部２０の第１凹部２２（第２凹部２３）に圧入されている。これにより、カバー部２０の第１凹部２２（第２凹部２３）の内側面２２ｂ（内側面２３ｂ）と、ガスケット１３０の第１凸部１３１（第２凸部１３２）の外側面１３１ａ（外側面１３２ａ）とが密着する。このとき、第１凸部１３１（第２凸部１３２）の外側面１３１ａ（外側面１３２ａ）は、第１凹部２２（第２凹部２３）の内側面２２ｂ（内側面２３ｂ）によって、Ｘ方向に押し込まれるように係合される。また、カバー部２０の第１凹部２２（第２凹部２３）の内底面２２ｃ（内底面２３ｃ）と、ガスケット１３０の第１凸部１３１（第２凸部１３２）の表面１３１ｃ（表面１３２ｃ）とが密着する。その結果、カバー部２０の第１凹部２２（第２凹部２３）と、ガスケット１３０の第１凸部１３１（第２凸部１３２）とが固定的に係合するように構成されている。
【００５６】
なお、第１実施形態の第２変形例のその他の構成は、上記した第１実施形態と同様である。
【００５７】
第１実施形態の第２変形例では、上記のように、ガスケット１３０に形成された第１凸部１３１（第２凸部１３２）の外側面１３１ａ（外側面１３２ａ）を、凹凸形状に形成することによって、ガスケット１３０の第１凸部１３１（第２凸部１３２）の外側面１３１ａ（外側面１３２ａ）に形成された凹凸形状により、カバー部２０の内側面２２ｂ（内側面２３ｂ）を密着させることができるので、カバー部２０の第１凹部２２（第２凹部２３）とガスケット１３０の第１凸部１３１（第２凸部１３２）との係合状態をより外れにくくすることができる。
【００５８】
なお、第１実施形態の第２変形例のその他の効果は、上記した第１実施形態と同様である。
【００５９】
（第１実施形態の第３変形例）
次に、図１３および図１４を参照して、本発明の第１実施形態の第３変形例について説明する。この第１実施形態の第３変形例による差動マイクロホンユニット１０３では、断面が矩形形状の凹部が形成されたカバー部を備える上記第１実施形態とは異なり、凹部の内側面に凹凸形状の段差部が形成されたカバー部を備える。なお、差動マイクロホンユニット１０３は、本発明の「マイクロホンユニット」の一例である。
【００６０】
この第１実施形態の第３変形例による差動マイクロホンユニット１０３では、図１４に示すように、カバー部２２０のＺ２方向側の表面には、Ｗ１６の幅（開口端）を有する第１凹部２２１（第２凹部２２２）が形成されている。この第１凹部２２１（第２凹部２２２）の内側面２２１ａ（内側面２２２ａ）には、段差部２２１ｂ（段差部２２２ｂ）が形成されている。また、ガスケット３０には、Ｚ１方向に突出するとともに、Ｗ１７の幅を有する第１凸部３１（第２凸部３２）が形成されている。また、ガスケット３０の外側面３１ｃ（外側面３２ｃ）は、矩形形状に形成されている。なお、第１凹部２２１（第２凹部２２２）の幅Ｗ１６は、第１凸部３１（第２凸部３２）の幅Ｗ１７よりも小さい。
【００６１】
そして、図１３に示すように、ガスケット３０の第１凸部３１（第２凸部３２）は、カバー部２２０の第１凹部２２１（第２凹部２２２）に圧入されている。これにより、カバー部２２０の第１凹部２２１（第２凹部２２２）の内側面２２１ａ（内側面２２２ａ）と、ガスケット３０の第１凸部３１（第２凸部３２）の外側面３１ｃ（外側面３２ｃ）とが密着する。また、カバー部２２０の第１凹部２２１（第２凹部２２２）の内底面２２１ｃ（内底面２２２ｃ）と、ガスケット３０の第１凸部３１（第２凸部３２）の表面３１ｂ（表面３２ｂ）とが密着する。このとき、第１凸部３１（第２凸部３２）のＺ１方向の端部は、第１凹部２２１（第２凹部２２２）の段差部２２１ｂ（段差部２２２ｂ）に食い込むように係合される。その結果、カバー部２２０の第１凹部２２１（第２凹部２２２）と、ガスケット３０の第１凸部３１（第２凸部３２）とが固定的に係合するように構成されている。
【００６２】
なお、第１実施形態の第３変形例のその他の構成は、上記した第１実施形態と同様である。
【００６３】
第１実施形態の第３変形例では、上記のように、カバー部２２０に形成された第１凹部２２１（第２凹部２２２）の内側面２２１ａ（内側面２２２ａ）を凹凸形状に形成する。これにより、カバー部２２０の第１凹部２２１（第２凹部２２２）の内側面２２１ａ（内側面２２２ａ）に形成された凹凸形状により、ガスケット３０の外側面３１ｃ（外側面３２ｃ）を密着させるとともに、第１凸部３１（第２凸部３２）のＺ１方向の端部を、第１凹部２２１（第２凹部２２２）の段差部２２１ｂ（段差部２２２ｂ）に食い込ませることができるので、カバー部２２０の第１凹部２２１（第２凹部２２２）とガスケット３０の第１凸部３１（第２凸部３２）との係合状態をより外れにくくすることができる。また、カバー部２２０の第１凹部２２１（第２凹部２２２）に、Ｘ方向にくぼむように切り込み状の段差部２２１ｂ（段差部２２２ｂ）を形成することによって、カバー部２２０とガスケット３０とを係合させる際に、カバー部２２０の第１凹部２２１（第２凹部２２２）の開口端をＸ方向に広がりやすくすることができるので、カバー部２２０とガスケット３０とを嵌め合わせやすく（係合させやすく）することができる。
【００６４】
なお、第１実施形態の第３変形例のその他の効果は、上記した第１実施形態と同様である。
【００６５】
（第１実施形態の第４変形例）
次に、図１５および図１６を参照して、本発明の第１実施形態の第４変形例について説明する。この第１実施形態の第４変形例による差動マイクロホンユニット１０４では、断面が矩形形状の凸部が形成されたガスケットを備える上記第１実施形態とは異なり、断面が凹凸形状（波形状）の凸部が形成されたガスケットを備える。なお、差動マイクロホンユニット１０４は、本発明の「マイクロホンユニット」の一例である。
【００６６】
この第１実施形態の第４変形例による差動マイクロホンユニット１０４では、図１６に示すように、カバー部２０のＺ２方向側の表面には、Ｗ１８の幅（開口端）を有する矩形形状の第１凹部２２（第２凹部２３）が形成されている。また、ガスケット２３０のＺ１方向側の表面には、Ｚ１方向に突出するように第１凸部２３１（第２凸部２３２）が形成されている。また、第１凸部２３１（第２凸部２３２）の外側面２３１ａ（外側面２３２ａ）は、先端部２３１ｃ（２３２ｃ）および根元部２３１ｄ（２３２ｄ）を含む凹凸形状（波形状）に形成されている。この第１凸部２３１（第２凸部２３２）の一方の先端部２３１ｃ（２３２ｃ）から、他方の先端部２３１ｃ（２３２ｃ）までのＸ方向の幅（間隔）は、Ｗ１９である。また、第１凸部２３１（第２凸部２３２）の一方の根元部２３１ｄ（２３２ｄ）から、他方の根元部２３１ｄ（２３２ｄ）までのＸ方向の幅（間隔）は、Ｗ２０である。そして、第１凹部２２（第２凹部２３）の幅Ｗ１８は、第１凸部２３１（第２凸部２３２）の先端部２３１ｃ（２３２ｃ）の幅Ｗ１９よりも小さく、かつ、第１凸部２３１（第２凸部２３２）の根元部２３１ｄ（２３２ｄ）の幅Ｗ２０よりも大きい。
【００６７】
そして、図１５に示すように、ガスケット２３０の第１凸部２３１（第２凸部２３２）は、カバー部２０の第１凹部２２（第２凹部２３）に圧入されている。これにより、カバー部２０の第１凹部２２（第２凹部２３）の内側面２２ｂ（内側面２３ｂ）と、ガスケット２３０の第１凸部２３１（第２凸部２３２）の外側面２３１ａ（外側面２３２ａ）とが密着する。具体的には、第１凸部２３１（第２凸部２３２）の先端部２３１ｃ（２３２ｃ）が、第１凹部２２（第２凹部２３）の内側面２２ｂ（内側面２３ｂ）を押圧しており、先端部２３１ｃ（２３２ｃ）は、第１凹部２２（第２凹部２３）の内側面２２ｂ（内側面２３ｂ）の形状に沿うように弾性変形して押しつぶされた状態で、第１凹部２２（第２凹部２３）の内側面２２ｂ（内側面２３ｂ）に密着する。また、第１凹部２２（第２凹部２３）の内側面２２ｂ（内側面２３ｂ）と、第１凸部２３１（第２凸部２３２）の根元部２３１ｄ（２３２ｄ）との間には、隙間ができる。また、カバー部２０の第１凹部２２（第２凹部２３）の内底面２２ｃ（内底面２３ｃ）と、ガスケット２３０の第１凸部２３１（第２凸部２３２）の表面２３１ｂ（表面２３２ｂ）とが密着している。このように、カバー部２０の第１凹部２２（第２凹部２３）と、ガスケット２３０の第１凸部２３１（第２凸部２３２）とが固定的に係合するように構成されている。
【００６８】
なお、第１実施形態の第４変形例のその他の構成は、上記した第１実施形態と同様である。
【００６９】
第１実施形態の第４変形例では、上記のように、ガスケット２３０の第１凸部２３１（第２凸部２３２）の外側面２３１ａ（外側面２３２ａ）の先端部２３１ｃ（２３２ｃ）を、カバー部２０の第１凹部２２（第２凹部２３）の内側面２２ｂ（内側面２３ｂ）の形状に沿うように弾性変形された状態でカバー部２０の第１凹部２２（第２凹部２３）の内側面２２ｂ（内側面２３ｂ）と係合させる。これにより、カバー部２０の第１凹部２２（第２凹部２３）には、第１凸部２３１（第２凸部２３２）の外側面２３１ａ（外側面２３２ａ）から第１凹部２２（第２凹部２３）に向かって付勢力（押圧力）が働くので、ガスケット２３０の第１凸部２３１（第２凸部２３２）の外側面２３１ａ（外側面２３２ａ）と、カバー部２０の第１凹部２２（第２凹部２３）の内側面２２ｂ（内側面２３ｂ）との間の密着性（気密性）をより有効に向上させることができるとともに、第１凸部２３１（第２凸部２３２）の凹凸形状により、第１凹部２２（第２凹部２３）と第１凸部２３１（第２凸部２３２）との係合状態をより外れにくくすることができる。
【００７０】
なお、第１実施形態の第４変形例のその他の効果は、上記した第１実施形態と同様である。
【００７１】
（第１実施形態の第５変形例）
次に、図１７および図１８を参照して、本発明の第１実施形態の第５変形例について説明する。この第１実施形態の第５変形例による差動マイクロホンユニット１０５では、断面が矩形形状の凹部が形成されたカバー部を備える上記第１実施形態とは異なり、断面が凹凸形状（波形状）の凹部が形成されたカバー部を備える。なお、差動マイクロホンユニット１０５は、本発明の「マイクロホンユニット」の一例である。
【００７２】
この第１実施形態の第５変形例による差動マイクロホンユニット１０５では、図１８に示すように、カバー部３２０のＺ２方向側の表面には、第１凹部３２１（第２凹部３２２）が形成されている。この第１凹部３２１（第２凹部３２２）の内側面３２１ａ（内側面３２２ａ）は、先端部３２１ｃ（３２２ｃ）および根元部３２１ｄ（３２２ｄ）を含む凹凸形状（波形状）に形成されている。互いに対向する第１凹部３２１（第２凹部３２２）の先端部３２１ｃ（３２２ｃ）のＸ方向の幅（間隔）は、Ｗ２１である。また、互いに対向する第１凹部３２１（第２凹部３２２）の根元部３２１ｄ（３２２ｄ）のＸ方向の幅（間隔）は、Ｗ２２である。また、ガスケット３０には、Ｚ１方向に突出するとともに、Ｗ２３の幅を有する第１凸部３１（第２凸部３２）が形成されている。なお、第１凸部３１（第２凸部３２）の幅Ｗ２３は、第１凹部３２１（第２凹部３２２）の先端部３２１ｃ（３２２ｃ）の幅Ｗ２１よりも大きく、かつ、第１凹部３２１（第２凹部３２２）の根元部３２１ｄ（３２２ｄ）の幅Ｗ２２よりも小さい。
【００７３】
そして、図１７に示すように、ガスケット３０の第１凸部３１（第２凸部３２）は、カバー部３２０の第１凹部３２１（第２凹部３２２）に圧入されている。これにより、カバー部３２０の第１凹部３２１（第２凹部３２２）の内側面３２１ａ（内側面３２２ａ）と、ガスケット３０の第１凸部３１（第２凸部３２）の外側面３１ｃ（外側面３２ｃ）とが密着している。具体的には、第１凸部３１（第２凸部３２）の外側面３１ｃ（外側面３２ｃ）が、第１凹部３２１（第２凹部３２２）の先端部３２１ｃ（３２２ｃ）を押し込んだ状態となる。すなわち、第１凸部３１（第２凸部３２）の外側面３１ｃ（外側面３２ｃ）は、第１凹部３２１（第２凹部３２２）の先端部３２１ｃ（３２２ｃ）の形状に沿うように弾性変形して押しつぶされた状態で、第１凹部３２１（第２凹部３２２）の内側面３２１ａ（内側面３２２ａ）に密着する。このとき、第１凹部３２１（第２凹部３２２）の根元部３２１ｄ（根元部３２２ｄ）と、第１凸部３１（第２凸部３２）の外側面３１ｃ（外側面３２ｃ）との間には、隙間ができる。また、カバー部３２０の第１凹部３２１（第２凹部３２２）の内底面３２１ｂ（内底面３２２ｂ）と、ガスケット３０の第１凸部３１（第２凸部３２）の表面３１ｂ（表面３２ｂ）とが密着している。これにより、カバー部３２０の第１凹部３２１（第２凹部３２２）と、ガスケット３０の第１凸部３１（第２凸部３２）とが固定的に係合するように構成されている。
【００７４】
なお、第１実施形態の第５変形例のその他の構成は、上記した第１実施形態と同様である。
【００７５】
第１実施形態の第５変形例では、上記のように、ガスケット３０の第１凸部３１（第２凸部３２）の外側面３１ｃ（外側面３２ｃ）を、カバー部３２０の第１凹部３２１（第２凹部３２２）の内側面３２１ａ（内側面３２２ａ）の先端部３２１ｃ（３２２ｃ）の形状に沿うように弾性変形された状態でカバー部３２０の第１凹部３２１（第２凹部３２２）の内側面３２１ａ（内側面３２２ａ）と係合させる。これにより、カバー部３２０の第１凹部３２１（第２凹部３２２）には、第１凸部３１（第２凸部３２）の外側面３１ｃ（外側面３２ｃ）から第１凹部３２１（第２凹部３２２）に向かって付勢力（押圧力）が働くので、ガスケット３０の第１凸部３１（第２凸部３２）の外側面３１ｃ（外側面３２ｃ）と、カバー部３２０の第１凹部３２１（第２凹部３２２）の内側面３２１ａ（内側面３２２ａ）との間の密着性（気密性）をより有効に向上させることができるとともに、第１凹部３２１（第２凹部３２２）の凹凸形状により、第１凹部３２１（第２凹部３２２）と第１凸部３１（第２凸部３２）との係合状態をより外れにくくすることができる。
【００７６】
また、第１実施形態の第５変形例の効果は、上記した第１実施形態と同様である。
【００７７】
（第２実施形態）
次に、図１９を参照して、本発明の第２実施形態について説明する。この第２実施形態による差動マイクロホンユニット１０６では、カバー部２０のＺ２方向側の表面上にガスケット３０を配置する例を示した上記第１実施形態とは異なり、カバー部２０のＺ２方向側の表面上に、導電性のシールド部材４０を介して、ガスケット３０を配置する。なお、差動マイクロホンユニット１０６は、本発明の「マイクロホンユニット」の一例である。
【００７８】
本発明の第２実施形態による差動マイクロホンユニット１０６では、図１９に示すように、カバー部２０のＺ２方向側の表面上に、導電性のシールド部材４０を介して、ガスケット３０が配置されている。このシールド部材４０には、ガスケット３０の第１凸部３１（第２凸部３２）を逃がすための第１開口部４０ａ（第２開口部４０ｂ）が形成されている。
【００７９】
また、シールド部材４０の厚みｔ４は、約０．１ｍｍ以下である。すなわち、ガスケット３０の第１凸部３１（第２凸部３２）の突出高さｈ１（約０．２ｍｍ以上約２．８ｍｍ以下）は、シールド部材４０の厚みｔ４よりも大きく形成されている。
【００８０】
なお、第２実施形態のその他の構成は、上記した第１実施形態と同様である。
【００８１】
第２実施形態では、上記のように、ガスケット３０の第１凸部３１（第２凸部３２）の突出高さｈ１を、シールド部材４０の厚みｔ４よりも大きくすることによって、シールド部材４０により、電磁波などのノイズを除去しながら、ガスケット３０の第１凸部３１（第２凸部３２）のうちのシールド部材４０から突出した部分の外側面３１ｃ（外側面３２ｃ）と、第１凹部２２（第２凹部２３）の内側面２２ｂ（内側面２３ｂ）との係合（密着）により、容易に、音響リークの発生を抑制することができる。
【００８２】
なお、第２実施形態のその他の効果は、上記した第１実施形態と同様である。
【００８３】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００８４】
たとえば、上記第１および第２実施形態では、携帯機器の一例として、携帯電話機を示したが、本発明はこれに限らない。たとえば、本発明を差動マイクロホンユニットを有するＰＤＡ、携帯型のゲーム機などの携帯機器にも適用可能である。
【００８５】
また、上記第１および第２実施形態では、カバー部に２つの凹部を形成するとともに、ガスケットに２つの凸部を形成する例を示したが、本発明はこれに限らない。たとえば、カバー部に１つの凹部を形成するとともに、ガスケットに１つの凸部を形成してもよいし、カバー部に３つ以上の凹部を形成するとともに、ガスケットに３つ以上の凸部を形成してもよい。
【００８６】
また、上記第１および第２実施形態では、カバー部の凹部（ガスケットの凸部）を、平面的に見て、矩形形状に形成する例を示したが、本発明はこれに限らない。たとえば、図２０に示す第１変形例の差動マイクロホンユニット１０７のように、カバー部の凹部１０７ａ（ガスケットの凸部１０７ｂ）を、平面的に見て、長孔形状（長丸形状）に形成してもよい。なお、差動マイクロホンユニット１０７は、本発明の「マイクロホンユニット」の一例である。
【００８７】
また、上記第１および第２実施形態では、カバー部の凹部（ガスケットの凸部）を、平面的に見て、矩形形状に形成するとともに、カバー部側音孔（ガスケット側音孔）を長孔形状（長丸形状）に形成する例を示したが、本発明はこれに限らない。たとえば、図２１に示す第２変形例の差動マイクロホンユニット１０８のように、カバー部の凹部１０８ａ（ガスケットの凸部１０８ｂ）を、平面的に見て、正方形形状に形成するとともに、カバー部側音孔１０８ｃ（ガスケット側音孔１０８ｄ）を真円形状に形成してもよい。なお、カバー部側音孔１０８ｃ（ガスケット側音孔１０８ｄ）の幅Ｗ２４を約０．５ｍｍ以上約１．０ｍｍ以下に形成するとよい。また、差動マイクロホンユニット１０８は、本発明の「マイクロホンユニット」の一例である。
【００８８】
また、上記第１および第２実施形態では、カバー部の凹部（ガスケットの凸部）を、平面的に見て、矩形形状に形成するとともに、カバー部側音孔（ガスケット側音孔）を長孔形状（長丸形状）に形成する例を示したが、本発明はこれに限らない。たとえば、図２２に示す第３変形例の差動マイクロホンユニット１０９のように、カバー部の凹部１０９ａ（ガスケットの凸部１０９ｂ）を、平面的に見て、真円形状に形成するとともに、カバー部側音孔１０９ｃ（ガスケット側音孔１０９ｄ）を真円形状に形成してもよい。なお、カバー部側音孔１０９ｃ（ガスケット側音孔１０９ｄ）の幅Ｗ２５は、約０．５ｍｍ以上約１．０ｍｍ以下に形成するとよい。また、カバー部の凹部（ガスケットの凸部）およびカバー部側音孔（ガスケット側音孔）を真円形状以外の形状（たとえば、楕円形状）にしてもよい。なお、差動マイクロホンユニット１０９は、本発明の「マイクロホンユニット」の一例である。
【００８９】
また、上記第１および第２実施形態では、ＭＥＭＳチップ１２と電気信号出力ＩＣ１４とを配線により電気的に接続する例を示したが、本発明はこれに限らない。たとえば、図２３および図２４に示す第４変形例の差動マイクロホンユニット１１０のように、フリップチップにより電気的に接続してもよい。具体的には、ＭＥＭＳチップ１２と電気信号出力ＩＣ１４とは、基板１０の表面上に形成された配線１１０ａおよび１１０ｂにより電気的に接続される。また、電気信号出力ＩＣ１４は、基板１０の表面上に設けられた配線１１０ｃ、１１０ｄおよび１１０ｅと電気的に接続される。なお、差動マイクロホンユニット１１０は、本発明の「マイクロホンユニット」の一例である。
【００９０】
また、上記第１および第２実施形態では、１枚の基板１０を用いて差動マイクロホンユニットを構成する例を示したが、本発明はこれに限らない。たとえば、図２５に示す第５変形例の差動マイクロホンユニット１１１のように、２枚の基板１０ａおよび基板１０ｂを用いて差動マイクロホンユニット１１１を構成してもよい。なお、差動マイクロホンユニット１１１は、本発明の「マイクロホンユニット」の一例である。
【符号の説明】
【００９１】
１  携帯電話筐体部（製品筐体）（携帯機器筐体）
１０、１０ａ、１０ｂ  基板
１１  振動部
２０、１２０、２２０、３２０  カバー部
２２、１２１、２２１、３２１  第１凹部（凹部）
２２ａ  第１カバー部側音孔（カバー部側音孔）
２２ｂ、２３ｂ、２２１ａ、２２２ａ、３２１ａ、３２２ａ  内側面
２２ｃ、２３ｃ、１２１ｂ、１２２ｂ、２２１ｃ、２２２ｃ、３２１ｂ、３２２ｂ  内底面
２３、１２２、２２２、３２２  第２凹部（凹部）
２３ａ  第２カバー部側音孔（カバー部側音孔）
３０、１３０、２３０  ガスケット（封止部材）
３１、１３１、２３１  第１凸部（凸部）
３１ａ  第１ガスケット側音孔（第１封止部材側音孔）（封止部材側音孔）
３１ｂ、３２ｂ、１３１ｃ、１３２ｃ、２３１ｂ、２３２ｂ  表面
３１ｃ、３２ｃ、１３１ａ、１３２ａ、２３１ａ、２３２ａ  外側面
３２、１３２、２３２  第２凸部（凸部）
３２ａ  第２ガスケット側音孔（第２封止部材側音孔）（封止部材側音孔）
４０  シールド部材
１００〜１１１  差動マイクロホンユニット（マイクロホンユニット）
２００  携帯電話機（携帯機器）
【図１】
2011120021.tif 000003
【図２】
2011120021.tif 000004
【図３】
2011120021.tif 000005
【図４】
2011120021.tif 000006
【図５】
2011120021.tif 000007
【図６】
2011120021.tif 000008
【図７】
2011120021.tif 000009
【図８】
2011120021.tif 000010
【図９】
2011120021.tif 000011
【図１０】
2011120021.tif 000012
【図１１】
2011120021.tif 000013
【図１２】
2011120021.tif 000014
【図１３】
2011120021.tif 000015
【図１４】
2011120021.tif 000016
【図１５】
2011120021.tif 000017
【図１６】
2011120021.tif 000018
【図１７】
2011120021.tif 000019
【図１８】
2011120021.tif 000020
【図１９】
2011120021.tif 000021
【図２０】
2011120021.tif 000022
【図２１】
2011120021.tif 000023
【図２２】
2011120021.tif 000024
【図２３】
2011120021.tif 000025
【図２４】
2011120021.tif 000026
【図２５】
2011120021.tif 000027